【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
通信シンボルのセットから選択される1又は複数の入力通信シンボルを得るステップと、
非周期関数のセットから選択される1又は複数の非周期関数を使用して１又は複数の伝送可能な波形に前記1又は複数の入力通信シンボルを変換するステップと、
通信チャネルを通じて前記1又は複数の伝送可能な波形を伝送するステップと、を有し、
前記非周期関数のセットから選択される非周期関数の少なくとも１つは、以下の方程式の形をとり、
【数３７】
2014512147.tif 000001
κ０は第一レベル振幅係数であり、ω０は第一レベル周波数定数であり、ｉはマイナス1の虚定数平方根であり、κ１は第二レベル振幅係数であり、ω１は第二レベル周波数定数であり、ｔは時間パラメーターであり、ｔ０は、初期時間であり、κ２は第三レベル振幅係数であり、ω２は第三レベル周波数定数であり、ｍは波形条件である、通信方法。
【請求項２】
κ０は、振幅を変調し、
ω０は、位相を変調し、
κ１は、周波数を変調し、
少なくともκ１及びω１の内の1つは、時間方向を変化させ、
ｔ０は、時間シフトを変化させ、
少なくともκ２及びω２の内の1つは、回転方向を変化させ、
少なくともｍ、κ２、ω１及びω２の内の1つは、成長を変化させる、請求項１に記載の通信方法。
【請求項３】
前記非周期関数のセットにおける各非周期関数は、振幅、位相、周波数、時間方向、時間シフト、回転方向及び成長のうちの少なくとも1つによって、前記非周期関数のセットにおける他の非周期関数とは異なる、請求項１に記載の通信方法。
【請求項４】
前記1又は複数の入力通信シンボル及び前記非周期関数のセットのうちの少なくとも1つは、変調器、コンピューター可読性媒体、コンピューター、衛星通信装置及びモバイル機器のうちの少なくとも1つから得られる、請求項１に記載の通信方法。
【請求項５】
前記1又は複数の伝送可能な波形のうちの少なくとも1つの1又は複数の部分は、前記1又は複数の入力通信シンボルの少なくとも1つに対応する、請求項1に記載の通信方法。
【請求項６】
前記1又は複数の伝送可能な波形は、二成分伝送を使用して、前記通信チャネルを通じて発生及び伝送されるものの少なくとも1つである、請求項1に記載の通信方法。
【請求項７】
前記1又は複数の伝送可能な波形は、更に内部シンボル時分割多重化を使用して、前記通信チャネルを通じて発生及び伝送されるものの少なくとも1つである、請求項6に記載の通信方法。
【請求項８】
前記1又は複数の伝送可能な波形の少なくとも1つは、ヘッド部分及びテール部分を含み、その結果、前記テール部分が前記通信チャネルを初期条件に戻す、請求項1に記載の通信方法。
【請求項９】
前記1又は複数の入力通信シンボルは、変調器を使用して、前記1又は複数の伝送可能な波形に変換される、請求項1に記載の通信方法。
【請求項１０】
前記変調器は、エンコーダー及びパルス-整形フィルターのうちの少なくとも1つを備える、請求項9に記載の通信方法。
【請求項１１】
前記エンコーダーは、前記通信シンボルのセットを前記非周期関数のセットにマッピングしている参照表を使用して得られる、請求項10に記載の通信方法。
【請求項１２】
前記1又は複数の伝送可能な波形は、送信機及び送受信機のうちの少なくとも1つを使用して、前記通信チャネルを通じて発生及び伝送されるものの少なくとも1つである、請求項1に記載の通信方法。
【請求項１３】
前記1又は複数の伝送可能な波形は、コンピューター、衛星通信装置及びモバイル機器の少なくとも1つを使用して、前記通信チャネルを通じて発生及び伝送されるものの少なくとも1つである、請求項1に記載の通信方法。
【請求項１４】
前記1又は複数の伝送可能な波形を受信するステップと、
前記1又は複数の伝送可能な波形を復調するステップと、を更に有する、請求項1に記載の通信方法。
【請求項１５】
１又は複数の出力通信シンボルをユーザ、コンピューター可読性媒体、コンピューター、衛星通信装置及びモバイル機器の少なくとも１つに伝えるステップを、更に有する、請求項14に記載の通信方法。
【請求項１６】
前記1又は複数の伝送可能な波形は、受信機及び第二送受信機のうちの少なくとも1つを使用して受信される、請求項14に記載の通信方法。
【請求項１７】
前記1又は複数の伝送可能な波形は、コンピューター、衛星通信装置及びモバイル機器の少なくとも１つを使用して受信される、請求項14に記載の通信方法。
【請求項１８】
前記1又は複数の伝送可能な波形は、復調器を使用して復調される、請求項14に記載の通信方法。
【請求項１９】
前記復調器は、デコーダーを備える、請求項18に記載の通信方法。
【請求項２０】
通信チャネルを通じて伝送される１又は複数の伝送可能な波形を受信するステップと、
前記1又は複数の伝送可能な波形を復調するステップと、を有し、
前記1又は複数の伝送可能な波形は、非周期関数のセットから選択される1又は複数の非周期関数を使用して構築され、
前記非周期関数のセットから選択される非周期関数の少なくとも１つは、以下の方程式の形をとり、
【数３８】
2014512147.tif 000002
κ０は第一レベル振幅係数であり、ω０は第一レベル周波数定数であり、ｉはマイナス1の虚定数平方根であり、κ１は第二レベル振幅係数であり、ω１は第二レベル周波数定数であり、ｔは時間パラメーターであり、ｔ０は、初期時間であり、κ２は第三レベル振幅係数であり、ω２は第三レベル周波数定数であり、ｍは波形条件である、通信方法。
【請求項２１】
１又は複数の出力通信シンボルをユーザ、コンピューター可読性媒体、コンピューター、衛星通信装置及びモバイル機器の少なくとも１つに伝えるステップを、更に有する、請求項20に記載の通信方法。
【請求項２２】
κ０は、振幅を変調し、
ω０は、位相を変調し、
κ１は、周波数を変調し、
κ１及びω１の少なくとも1つは、時間方向を変化させ、
ｔ０は、時間シフトを変化させ、
κ２及びω２の少なくとも1つは、回転方向を変化させ、
ｍ、κ２、ω１及びω２の少なくとも1つは、成長を変化させる、請求項20に記載の通信方法。
【請求項２３】
前記非周期関数のセットにおける各非周期関数は、振幅、位相、周波数、時間方向、時間シフト、回転方向及び成長の少なくとも1つによって、前記非周期関数のセットにおける他の非周期関数とは異なる、請求項20に記載の通信方法。
【請求項２４】
前記1又は複数の伝送可能な波形のうちの少なくとも1つの1又は複数の部分は、前記1又は複数の入力通信シンボルのうちの少なくとも1つに対応する、請求項20に記載の通信方法。
【請求項２５】
前記1又は複数の伝送可能な波形は、二成分伝送を使用して、前記通信チャネルを通じて発生及び伝送されるものの少なくとも1つである、請求項20に記載の通信方法。
【請求項２６】
前記1又は複数の伝送可能な波形は、更に内部シンボル時分割多重化を使用して、前記通信チャネルを通じて発生及び伝送されるものの少なくとも1つである、請求項25に記載の通信方法。
【請求項２７】
前記1又は複数の伝送可能な波形の少なくとも1つは、ヘッド部分及びテール部分を含み、その結果、前記テール部分が前記通信チャネルを初期条件に戻す、請求項20に記載の通信方法。
【請求項２８】
前記1又は複数の伝送可能な波形は、受信機及び送受信機のうちの少なくとも1つを使用して受信される、請求項20に記載の通信方法。
【請求項２９】
前記1又は複数の伝送可能な波形は、コンピューター、衛星通信装置及びモバイル機器の少なくとも1つを使用して受信される、請求項20に記載の通信方法。
【請求項３０】
前記1又は複数の伝送可能な波形は、復調器を使用して復調される、請求項20に記載の通信方法。
【請求項３１】
前記復調器は、デコーダーを備える、請求項30に記載の通信方法。
【請求項３２】
通信シンボルのセットから選択される１又は複数の入力通信シンボルを得て、非周期関数のセットから選択される１又は複数の非周期関数を使用して１又は複数の伝送可能な波形に前記1又は複数の入力通信シンボルを変換するのに適した変調器と、
通信チャネルを通じて前記1又は複数の伝送可能な波形を伝送するのに適した送信機及び第一送受信機のうちの少なくとも1つと、を備え、
前記非周期関数のセットから選択される非周期関数の少なくとも１つは、以下の方程式の形をとり、
【数３９】
2014512147.tif 000003
κ０は第一レベル振幅係数であり、ω０は第一レベル周波数定数であり、ｉはマイナス1の虚定数平方根であり、κ１は第二レベル振幅係数であり、ω１は第二レベル周波数定数であり、ｔは時間パラメーターであり、ｔ０は、初期時間であり、κ２は第三レベル振幅係数であり、ω２は第三レベル周波数定数であり、ｍは波形条件である、通信システム。
【請求項３３】
κ０は、振幅を変調し、
ω０は、位相を変調し、
κ１は、周波数を変調し、
κ１及びω１のうちの少なくとも１つは、時間方向を変化させ、
ｔ０は、時間シフトを変化させ、
κ２及びω２の少なくとも1つは、回転方向を変化させ、
ｍ、κ２、ω１及びω２の少なくとも1つは、成長を変化させる、請求項32に記載の通信システム。
【請求項３４】
前記非周期関数のセットにおける各非周期関数は、振幅、位相、周波数、時間方向、時間シフト、回転方向及び成長の少なくとも1つによって、前記非周期関数のセットにおける他の非周期関数とは異なる、請求項32に記載の通信システム。
【請求項３５】
前記1又は複数の入力通信シンボル及び前記非周期関数のセットのうちの少なくとも1つは、変調器、コンピューター可読性媒体、コンピューター、衛星通信装置及びモバイル機器のうちの少なくとも1つから得られる、請求項32に記載の通信システム。
【請求項３６】
前記1又は複数の伝送可能な波形のうちの少なくとも1つの1又は複数の部分は、前記1又は複数の入力通信シンボルの少なくとも1つに対応する、請求項32に記載の通信システム。
【請求項３７】
前記1又は複数の伝送可能な波形は、二成分伝送を使用して、前記通信チャネルを通じて発生及び伝送されるものの少なくとも1つである、請求項32に記載の通信システム。
【請求項３８】
前記1又は複数の伝送可能な波形は、更に内部シンボル時分割多重化を使用して、前記通信チャネルを通じて発生及び伝送されるものの少なくとも1つである、請求項37に記載の通信システム。
【請求項３９】
前記1又は複数の伝送可能な波形の少なくとも1つは、ヘッド部分及びテール部分を含み、その結果、前記テール部分が前記通信チャネルを初期条件に戻す、請求項32に記載の通信システム。
【請求項４０】
前記変調器は、エンコーダーとパルス-整形フィルターを備える、請求項32に記載の通信システム。
【請求項４１】
前記エンコーダーは、前記通信シンボルのセットを前記非周期関数のセットにマッピングしている参照表を使用して得られる、請求項40に記載の通信システム。
【請求項４２】
前記1又は複数の伝送可能な波形を受信するのに適している受信機及び第二送受信機の少なくとも１つと、
前記1又は複数の伝送可能な波形を復調するのに適している復調器と、を更に備える、請求項32に記載の通信システム。
【請求項４３】
コンピューター可読性媒体、コンピューター、衛星通信装置及びモバイル機器の少なくとも1つを、更に備え、
コンピューター可読性媒体、コンピューター、衛星通信装置及び携帯装置のうちの少なくとも１つは、
前記1又は複数の入力通信シンボルを供給することと、
前記1つ又は複数の入力通信シンボルを得ることと、
前記１又は複数の入力通信シンボルを前記1又は複数の伝送可能な波形に変換することと、
前記通信チャネルを通じて前記1又は複数の伝送可能な波形を伝送することと、
前記1又は複数の伝送可能な波形を受信することと、
前記1又は複数の伝送可能な波形を復調することと、
1又は複数の出力通信シンボルをユーザ、第二のコンピューター可読性媒体、第二のコンピューター、第二の衛星通信装置及び第二のモバイル機器のうちの少なくとも1つに伝えること、の内の少なくとも1つに適している、請求項32に記載の通信システム。
【請求項４４】
前記復調器は、デコーダーを備える、請求項42に記載の通信システム。
【請求項４５】
通信チャネルを通じて伝送される１又は複数の伝送可能な波形を受信するのに適している受信機及び送受信機の少なくとも1つと、
前記1又は複数の伝送可能な波形を復調するのに適している復調器と、を備え、
前記1又は複数の伝送可能な波形は、非周期関数から選択される１又は複数の非周期関数を使用して構築され、
前記非周期関数のセットから選択される非周期関数の少なくとも１つは、以下の方程式の形をとり、
【数４０】
2014512147.tif 000004
κ０は第一レベル振幅係数であり、ω０は第一レベル周波数定数であり、ｉはマイナス1の虚定数平方根であり、κ１は第二レベル振幅係数であり、ω１は第二レベル周波数定数であり、ｔは時間パラメーターであり、ｔ０は、初期時間であり、κ２は第三レベル振幅係数であり、ω２は第三レベル周波数定数であり、ｍは波形条件である、通信システム。
【請求項４６】
κ０は、振幅を変調し、
ω０は、位相を変調し、
κ１は、周波数を変調し、
κ１及びω１のうちの少なくとも１つは、時間方向を変化させ、
ｔ０は、時間シフトを変化させ、
κ２及びω２の少なくとも1つは、回転方向を変化させ、
ｍ、κ２、ω１及びω２の少なくとも1つは、成長を変化させる、請求項45に記載の通信システム。
【請求項４７】
前記非周期関数のセットにおける各非周期関数は、振幅、位相、周波数、時間方向、時間シフト、回転方向及び成長の少なくとも1つによって、前記非周期関数のセットにおける他の非周期関数とは異なる、請求項45に記載の通信システム。
【請求項４８】
前記1又は複数の伝送可能な波形のうちの少なくとも1つの1又は複数の部分は、1又は複数の入力通信シンボルの少なくとも1つに対応する、請求項45に記載の通信システム。
【請求項４９】
前記1又は複数の伝送可能な波形は、二成分伝送を使用して、前記通信チャネルを通じて発生及び伝送されるものの少なくとも1つである、請求項45に記載の通信システム。
【請求項５０】
前記1又は複数の伝送可能な波形は、更に内部シンボル時分割多重化を使用して、前記通信チャネルを通じて発生及び伝送されるものの少なくとも1つである、請求項49に記載の通信システム。
【請求項５１】
前記1又は複数の伝送可能な波形の少なくとも1つは、ヘッド部分及びテール部分を含み、その結果、前記テール部分が前記通信チャネルを初期条件に戻す、請求項45に記載の通信システム。
【請求項５２】
コンピューター可読性媒体、コンピューター、衛星通信装置及びモバイル機器の少なくとも1つを、更に備え、
コンピューター可読性媒体、コンピューター、衛星通信装置及び携帯装置のうちの少なくとも１つは、
前記1又は複数の伝送可能な波形を受信することと、
前記1又は複数の伝送可能な波形を復調することと、
１又は複数の出力通信シンボルをユーザ、第二のコンピューター可読性媒体、第二のコンピューター、第二の衛星通信装置及び第二のモバイル機器のうちの少なくとも1つに伝えること、の内の少なくとも1つに適している、請求項45に記載の通信システム。
【請求項５３】
前記復調器は、デコーダーを備える、請求項45に記載の通信システム。